(57)【要約】【課題】  ＯＳＤ等の描画データを画像データと合成して表示する画像表示装置において、描画データのデータ量を増やすことなく、表示色を増加させる。【解決手段】  描画データを画像データと合成して表示する画像表示装置において、  複数の色変換情報を保持し、入力された描画データに基づいて、前記描画データに適用する描画データの画素の色変換を行うための色変換情報を同一表示画面内で変更し、その色変換情報を用いて変換した描画データと入力された画像へ合成して表示する。【選択図】  図１
2007183347.tif 000002
【特許請求の範囲】
【請求項１】
描画データを画像データと合成して表示する画像表示装置において、
画像を入力する画像入力手段と、
任意の描画データを入力する描画データ入力手段と
前記描画データの画素の色変換を行うための色変換情報を保持する色変換情報保持手段と、
前記色変換情報を用いて変換した描画データを前記入力手段によって入力された画像へ合成する合成処理手段と、
入力された描画データに基づいて、前記描画データに適用する前記色変換情報を同一表示画面内で変更する変更手段と、
を有することを特徴とする画像表示装置。
【請求項２】
前記保持手段は、複数の前記色変換情報をグループ化した複数の異なる色変換情報グループを保持し、
前記変更手段は、前記色変換情報グループを選択することによって、前記描画データに適用する前記色変換情報を変更することを特徴とする請求項１に記載の画像表示装置。
【請求項３】
前記変更手段は、前記描画データの表示領域に応じて前記色変換情報グループを同一表示画面内で任意に切り替えることを特徴とする請求項１に記載の画像表示装置。
【請求項４】
さらに、前記表示画面の任意の座標を指定する座標指定手段と、を有し、
前記変更手段は、前記座標指定手段によって指定された座標に基いて、前記描画データに適用する前記色変換情報を同一表示画面内で変更することを特徴とする請求項１記載の画像表示装置。
【請求項５】
前記座標指定手段によって指定された１つの座標に対して、前記色変換情報グループ数を１または２または４に制御する制御手段
を備えることを特徴とする請求項４に記載の画像表示装置。
【請求項６】
前記座標指定手段は、前記表示画面の座標を自然数だけでなく、整数で指定し、
前記変更手段は、前記座標指定手段によって指定された座標が負の値であった場合に、前記選択座標により分割される領域に対応して選択される色変情報グループを、該選択した座標が正の値であった場合と任意に入れ替える
ことを特徴とする請求項４または請求項５に記載の画像表示装置。
【請求項７】
前記変更手段は、表示画面内を任意の関数によって領域を分割し、前記領域ごとに前記色変換情報グループを切り替えることを特徴とする請求項１に記載の画像表示装置。
【請求項８】
前記描画データは、ＯＳＤ（オンスクリーンデータ）であることを特徴とする画像表示装置。
【請求項９】
描画データを画像データと合成して表示する画像表示方法において、
画像を入力する画像入力工程と、
任意の描画データを入力する描画データ入力工程と、
前記描画データの画素の色変換を行うための色変換情報を用いて変換した描画データを前記入力手段によって入力された画像へ合成する合成処理工程と、
入力された描画データに基づいて、前記描画データに適用する前記色変換情報を同一表示画面内で変更する変更工程と、
を有することを特徴とする画像表示方法。
【請求項１０】
請求項８に記載の表示方法をコンピュータに実行させるための制御プログラム。
【請求項１１】
前記請求項１乃至８に記載の画像表示装置を搭載した撮像装置。
【発明の詳細な説明】
【技術分野】
【０００１】
本発明は主に、ＯＳＤ（Ｏｎ  Ｓｃｒｅｅｎ  Ｄｉｓｐｌａｙ）重畳機能を有する画像表示装置に関する。
【背景技術】
【０００２】
従来、テレビジョン、デジタルカメラやデジタルビデオカメラ等の表示部を備えた表示装置においても、その表示部に対して映像に重ねたり、合成（ミックス）する形で操作メニューやアイコン、ボタン名称等、文字や図形情報を描画して表示している。これは、一般的にＯＳＤ（Ｏｎ  Ｓｃｒｅｅｎ  Ｄｉｓｐｌａｙ）などと呼ばれ、主映像とは別の表示データを持ち、必要に応じて主映像に上書き（置き換え）表示、主映像とミックス表示といった合成表示を行う。
【０００３】
ここで、映像をデジタル処理するシステム、例えばデジタルビデオカムコーダー（以後、ＤＶＣ）などを考えた場合、アナログ規格のＮＴＳＣに相当するＳＤ（Ｓｔａｎｄａｒｄ  Ｄｅｆｉｎｉｔｉｏｎ）解像度の映像（ＤＶフォーマット）は、ブランキングを除いた有効映像範囲で、水平解像度７２０画素、垂直ライン数４８０本／フレームの６０ｉ（Ｉｎｔｅｒｌａｃｅ）映像である。５０ｉ方式であれば、ブランキングを除いた有効映像範囲は、水平解像度７２０画素、垂直ライン数５７６本／フレームである。
【０００４】
前者の７２０ｘ４８０／フレーム（７２０ｘ２４０／フィールド）の画素の位置に対してＯＳＤ表示を重畳／ミックスすることを考えた場合、ＯＳＤのＯＮ／ＯＦＦであれば、それぞれの画素においてＯＳＤを表示する／しないの１ｂｉｔの情報があれば良い。しかしながら、ＯＳＤのカラー表示や、上書き表示あるいはスーパインポーズ等の半透過で背景の主映像が見えるミックス処理といった合成処理の機能を持たせる場合は、例えば、輝度信号Ｙ、青系色差信号Ｃｂ／赤系色差信号Ｃｒ、アトリビュート（表示ＯＮ／ＯＦＦ、重畳／ミックス方法）信号に対し、それぞれ必要に応じたビット数を割り当てる必要がある。例えば、輝度Ｙに５ｂｉｔ、色差Ｃｂ／Ｃｒにそれぞれ４ｂｉｔ、アトリビュートに３ｂｉｔ割り当てると５＋４＋４＋３＝１６ｂｉｔ／画素の情報が必要となる。しかし、一般的には、１６ｂｉｔＯＳＤ情報は、図２に示すようなＣＬＵＴ（Ｃｏｌｏｒ  Ｌｏｏｋ  Ｕｐ  Ｔａｂｌｅ）やパレットと呼ばれるテーブル情報（色変換情報）として、独立した複数のテーブルにより構成される。このテーブルを指定するテーブル番号（表２中のＯＳＤ  Ｄａｔａ  Ｃｏｄｅ）を表示画素に対応して管理することで、情報量を抑える工夫がされている。図２では、１６ｂｉｔのＣＬＵＴが０から１５までの１６個用意させている様子を表している。
【０００５】
こうすることにより、ＯＳＤ表示の１画素あたり４ｂｉｔのテーブル番号（図２中のＯＳＤ  Ｄａｔａ  Ｃｏｄｅ）を割り当てることで、１６個のＣＬＵＴの中から任意の番号のＣＬＵＴが選択可能となる。そして、それぞれのＣＬＵＴで指定された色情報及びアトリビュートに応じて、任意の１６色の組み合わせでＯＳＤ表示を行うことが出来る。また、ＣＬＵＴの内容を書き換えることで、表示する、または表示しているＯＳＤの色や表示方法を簡単に変更できるなどの利便性を備えている。
【０００６】
ここで、図３に従来のＯＳＤ描画ブロックの構成例を示す。３０１はＳＤＲＡＭで、ここではデータ幅１６ｂｉｔのもので、表示するＯＳＤデータを保持しておく。一般的には、ＯＳＤデータだけでなく、各種表示データなどを処理するために、メモリ共有していることが多い。３０２はＡｒｂｉｔｅｒでＳＤＲＡＭ３０１のメモリコントロールを行う。ここでは、ＯＳＤ表示制御部３０４からのＯＳＤデータ取得リクエストを受けて、ＳＤＲＡＭ３０１にリードコマンドを投げ、ＯＳＤデータを１６ｂｉｔの単位で、ＦＩＦＯ３０３に予め設定された６４バーストの単位で転送するものとする。
【０００７】
３０３はＦＩＦＯで、Ｆｉｒｓｔ  Ｉｎ  Ｆｉｒｓｔ  Ｏｕｔのバッファで、Ａｒｂｉｔｅｒ３０２からのリードコマンドによりＳＤＲＡＭ３０１から出力される１６ｂｉｔ幅のバーストデータを受け取るものである。また、ＯＳＤ表示制御部３０４からのＦＩＦＯ３０４からのデータ読み出しのアドレスとイネーブル信号を受けて、８ｂｉｔ幅のデータに分けて出力するものとする。
【０００８】
３０４はＯＳＤ表示制御部で、Ａｒｂｉｔｅｒ３０２を介してＳＤＲＡＭへのデータリード要求を出す。すると、表示制御部は、ＦＩＦＯ３０３へのアドレスとＥｎａｂｌｅ信号とを表示タイミングに合わせて出力して、ＳＤＲＡＭ３０１から読み出されてＦＩＦＯ３０３に溜まったＯＳＤデータを取得する。
【０００９】
３０５はＯＳＤデータセレクタで、多重化されているＯＳＤデータを８ｂｉｔから４ｂｉｔに分解し表示画素の位相（ピクセル）に合わせる。通常、図１中の選択信号Ｓｅｌｅｃｔｏｒ１は、ＯＳＤ表示クロックで反転する信号で、セレクタ１０５に含まれるＦＦにより、８ｂｉｔに多重化されたＯＳＤデータを４ｂｉｔに戻す。
【００１０】
３０６はＣＬＵＴ（Ｃｏｌｏｒ  Ｌｏｏｋ  Ｕｐ  Ｔａｂｌｅ）で、ここでは、図２に示すような１６ｂｉｔ、１６個の重畳制御（Ａｔｔｒｉｂｕｔｅ）を含む色変換テーブルとなっている。
【００１１】
３０７はＯＳＤミックス処理部で、主映像とＣＬＵＴ３０６からのＯＳＤ表示データをＡｔｔｒｉｂｕｔｅ情報に従って、重畳・ミックスして出力する。
【００１２】
このように、ＣＬＵＴは数がそれほど多くない場合、ハードウェア的にはＣＬＵＴをレジスタで構成し、ファームウェアによりＣＬＵＴレジスタに対して、任意の、輝度／色差／表示アトリビュートの情報等を書き込む。表示ＯＳＤデータはＣＬＵＴのテーブル番号をＢｉｔｍａｐ構成とし、ワークメモリ上に置かれる。そして、主映像の表示に合わせて、該ワークメモリからＯＳＤデータとしてＣＬＵＴのテーブル番号を読み出し、一致するテーブル番号のＣＬＵＴに書かれている輝度／色差／表示アトリビュート情報に従って表示画素それぞれに対応したＯＳＤ重畳表示処理を行う。これらの構成により、同時に必要とされる表示色が少ない場合、表示画素に対するＯＳＤ情報のデータ量を低く抑えられ効率的に表示制御を行うことが可能となっている（特許文献１を参照）。
【００１３】
しかし、同時に表示するＯＳＤの色数を増やそうとすると、ＣＬＵＴのテーブル数をその分、増やす必要がある。そのため、表示画素に対応するＣＬＵＴを指定するテーブル番号のｂｉｔ数も増加させる必要が出てくる。テーブル番号に割り当てるｂｉｔ数を４ｂｉｔから、５ｂｉｔ、６ｂｉｔ、７ｂｉｔ、８ｂｉｔ…としていくと、ＣＬＵＴの数、即ち同時表示色は、１６、３２、６４、１２８，２５６色…と増加させることは、原理的には可能である。
【特許文献１】特開２０００−３０５５４９号公報
【発明の開示】
【発明が解決しようとする課題】
【００１４】
こうした背景の下、画面内のＯＳＤの同時表示色を増やす為に、ＣＬＵＴ数を増加させ、それに伴いＯＳＤデータのデータ量を増やすことを考えた場合、必然的にワークメモリ等に置かれたＣＬＵＴのテーブル番号の集まりである（Ｂｉｔｍａｐ）ＯＤＳデータのデータ量が増大する。また、その増えたデータをＯＳＤ表示のために読み出す時には、メモリアクセスの帯域使用量が増加することになる。
【００１５】
一般的にメモリのバス幅から考えて、メモリアクセスは２のべき乗のデータ幅でアクセスすることになる。組み込みシステムなどでは、使用メモリの構成上、８ｂｉｔ／１６ｂｉｔ／３２ｂｉｔのデータ幅でのアクセスが使われることが多い。従来は、例えば４ｂｉｔの整数倍のメモリアクセスであったためにアクセス効率が良かった。しかし、仮に、１画素あたりのＯＳＤデータを４ｂｉｔから５ｂｉｔへと１ｂｉｔ増やそうとした場合、５ｂｉｔの整数倍のメモリアクセス幅ではないために、８ｂｉｔのデータアクセスを行うのと同じことなってしまう。すなわち、８ｂｉｔ−５ｂｉｔ＝３ｂｉｔは無駄にしてしまうことになる。技術的にはデータを詰めて、アドレス境界とデータ境界が一致しないようにも構成可能であるが、その複雑さから、ソフトウェア管理上もハードウェア設計上も好ましい構成とは言えない。
【００１６】
更に、デジタルカメラやデジタルビデオカメラなどの映像機器においては、ワークメモリはＯＳＤの表示機能だけでなく、その他の画像処理などにも共有されている場合が多い。そのため、同時表示色を安易に増やすこと、即ち、表示のためにリアルタイム処理が必要なＯＳＤ表示機能において必要とされる情報量を増やすことは、メモリアクセスの帯域に影響を与えることになる。その結果、メモリアクセスを含む他のシステム制御に対してもアクセスレイテンシ（メモリへのアクセス要求から実際にデータが取得できるまでの時間）が低下するという問題があった。
【課題を解決するための手段】
【００１７】
上記のような課題を解決し目的を達成するために、描画データを画像データと合成して表示する画像表示装置において、
画像を入力する画像入力手段と、
任意の描画データを入力する描画データ入力手段と
前記描画データの画素の色変換を行うための色変換情報を保持する色変換情報保持手段と、
前記色変換情報を用いて変換した描画データを前記入力手段によって入力された画像へ合成する合成処理手段と、
入力された描画データに基づいて、前記描画データに適用する前記色変換情報を同一表示画面内で変更する変更手段と、
を有する画像表示装置を提供する。
【００１８】
また、描画データを画像データと合成して表示する画像表示方法において、
画像を入力する画像入力工程と、
任意の描画データを入力する描画データ入力工程と、
前記描画データの画素の色変換を行うための色変換情報を用いて変換した描画データを前記入力手段によって入力された画像へ合成する合成処理工程と、
入力された描画データに基づいて、前記描画データに適用する前記色変換情報を同一表示画面内で変更する変更工程と、
を有することを特徴とする画像表示方法を提供する。
【発明の効果】
【００１９】
本発明によれば、特に、画像表示部を備えるデジタルビデオカメラなどへ実装することによって、表示するＯＳＤ描画データの元データの情報量を増加させずに、ＯＳＤ表示における同一画面内での表示色数を見かけ上増加させることが可能となる。これにより、例えば、ビットマップＯＳＤデータ自体やメモリへのアクセス形態を変えることなく、機器動作の設定メニュー、テキスト情報や各種アイコン表示等に用いるＯＳＤの色数を画面内で表示領域に応じてＣＬＵＴを切り替えることで容易に増やせるため、表示部の視認性やデザイン性の向上が可能となる。
【発明を実施するための最良の形態】
【００２０】
＜実施例１＞
以下に、ＯＳＤ重畳および画像表示機能付き映像装置における一実施例について図面を参照しながら説明する。
【００２１】
図４に、ＯＳＤ重畳および画像表示機能付き映像装置としてデジタルビデオカメラの概略ブロック図を、図１にＯＳＤ重畳ブロック部の構成例を示す。
【００２２】
４０１はビデオカメラのレンズ部で、不図示の被写体を撮像するためのズーム機能、フォーカス調整機能付きレンズ群およびレンズ機構である。４０２はＣＣＤ（Ｃｈａｒｇｅ  Ｃｏｕｐｌｅｄ  Ｄｅｖｉｃｅ）で、レンズ部４０１で構成される光学系より入ってくる像を撮像する撮像素子である。４０３は撮像素子駆動部で、カメラ信号処理部からのタイミングに従ってＣＣＤ４０２を駆動する。４０４はＣＤＳ（Ｃｏｒｒｅｌａｔｅｄ  Ｄｏｕｂｌｅ  Ｓａｍｐｌｉｎｇ）、ＡＧＣ（Ａｕｔｏ  Ｇａｉｎ  Ｃｏｎｔｒｏｌｌｅｒ）部で、ＣＣＤ４０２からのアナログ信号をサンプリングすると共に、システム制御部４０９からの制御により、信号レベルのゲインコントロールを行う。４０５はＡ／Ｄ（Ａｎａｌｏｇ  ｔｏ  Ｄｉｇｉｔａｌ）変換器で、前段からのアナログ信号をデジタル信号に変換する。
【００２３】
４０６はカメラ信号処理部で、タイミング生成や、ＡＥ（Ａｕｔｏ  Ｅｘｐｏｓｕｒｅ）制御やガンマ調整、ＡＦ（Ａｕｔｏ  Ｆｏｃｕｓ）制御など、システム制御部４０９と連携して、カメラ撮像系の制御を行う。ＡＦ機能と合わせて、被写体までの距離も算出可能である。また、画面上のＡＦエリアは画面格子状に９点あるものとし、全てのＡＦエリアを使用する場合や、中心部のみのＡＦエリアを使用するなどの選択が可能である。４０７はレンズ駆動部で、レンズ部４０１を駆動して、ズーム倍率やピント調整を行う。オートフォーカス時には、フォーカス調整情報をカメラ信号処理部で検出して、検出した情報に基づきシステム制御部４０９からの制御信号により、レンズ駆動部４０７が駆動され、レンズ部４０１を制御してピント調整を行う。マニュアルフォーカス時には、入力操作部４１４の一般的にはレンズの外周に設けられたフォーカスリングをユーザが調整する。また、電子的な機構では、フォーカスリングの回転方向と回転量をシステム制御部４０９で検出した検出結果によってレンズ駆動部４０７を駆動し、レンズ部４０１を制御してピント調整を行う。機械的な機構では、フォーカスリングが機械的にレンズ部４０１と繋がっており、フォーカスリングをユーザが回すことによって、機械的にレンズ部４０１が動かされピント調整が行われる。
【００２４】
４０８はマイクで、撮像系から入ってきた映像と合わせて周囲の音を記録するために集音する。４０９はシステム制御部で、後述する汎用記憶部（メモリ）４１１に記憶されているプログラムに基づいてデジタルビデオカメラの制御に関る各種制御手順を実行する。また、後述する図１のＯＳＤ重畳ブロックもシステム制御部４０９に含まれている。４１０はメモリ制御部で汎用記憶部４１１へのアクセスを制御する。４１１は汎用記憶部（メモリ）で、映像信号処理のバッファメモリであると共に、各種制御を実現するためのプログラムおよびデータ等を納め、制御実行のために必要に応じて作業領域としても使用するＲＯＭやＲＡＭを総称している。表示部に描画されるオンスクリーンディスプレイデータ（ＯＳＤデータ）も本メモリに保持される。４１２は外部記録媒体接続インタフェースで、ここでは、メモリカードのスロットである。４１３は外部記憶媒体で、ここではメモリカードである。通常、このメモリカードに対して、静止画撮影時にはＪＰＥＧファイルを保存する。４１４は入力操作部で、撮影スタート・ストップボタンや、選択ボタンや決定ボタン、静止画撮影用のシャッターボタン、マニュアルフォーカスリングなどを備えている。４１５は計時部で、リアルタイムクロック（ＲＴＣ）とバックアップ電池を備え、日時をカウントしており、システム制御部４０９からの要求に応じて、日時情報を返信する。４１６はビデオ制御部で、図１の例に示したような水平フィルタ機能部を含み、第１の表示部４１８、第２の表示部４１９、ライン出力部４２０への出力制御および、テープ記録／再生部４１７の制御を行う。４１７はテープ記録／再生部で、ビデオ制御部４１６により、ＳＤモードではＤＶフォーマット、ＨＤモードではＨＤＶフォーマット等のテープ記録フォーマットにエンコードされた映像信号をテープに記録またはテープから再生する。４１８は第１の表示部で、ＥＶＦ（Ｅｌｅｃｔｒｉｃａｌ  Ｖｉｅｗ  Ｆｉｎｄｅｒ）であり、テープ記録／再生部４１７で記録する際には撮像系からの入力映像を表示し、再生する際には、テープに記録されている映像を表示する。また、操作部４１４からのユーザによる入力操作情報や、外部記録媒体内の任意の画像情報などを表示する。４１９は第２の表示部で、液晶表示パネルであり、テープ記録／再生部４１７で記録する際には撮像系からの入力映像を表示し、再生する際には、テープに記録されている映像を表示する。また、操作部４１４からのユーザによる入力操作情報や、外部記録媒体内の任意の画像情報などを表示する。４２０はライン出力部で、アナログコンポーネント映像出力や、Ｓ端子出力、コンポジット映像出力などのインタフェースであり、外部ＴＶモニタ等に接続して、デジタルビデオカメラからの映像出力をＴＶ画面に表示する。
【００２５】
第１の表示部４１８も、第２の表示部４１９も、ライン出力４２０に接続されるＴＶ画面においても、夫々に、撮影映像や再生映像に対して本発明における手法によりＯＳＤを重畳あるいは合成（ミックス）して表示出力を行うことが可能である。
【００２６】
次に、図４に示すデジタルビデオカメラにおいて、ＥＶＦや液晶表示パネル、ライン出力先のテレビモニタ等へのＯＳＤ表示方法に関して説明する。
【００２７】
本発明の特徴であるＯＳＤ描画ブロックの例を図１に示し、説明を行う。１０１は色変換情報保持部としてのＳＤＲＡＭで、ここではデータ幅１６ｂｉｔのもので、表示部に描画されるＯＳＤデータを保持しておく。一般的に、ＳＤＲＡＭは、ＯＳＤデータだけでなく、各種表示データなどを処理するために、メモリ共有していることが多い。１０２はＡｒｂｉｔｅｒでＳＤＲＡＭ１０１のメモリコントロールを行う。ここでは、ＯＳＤ表示制御部１０４からのＯＳＤデータ取得リクエストを受けて、ＳＤＲＡＭ１０１にリードコマンドを投げ、ＯＳＤデータを１６ｂｉｔの単位で、ＦＩＦＯ１０３に予め設定された６４バーストの単位で転送する。
【００２８】
１０３はＦＩＦＯで、Ｆｉｒｓｔ  Ｉｎ  Ｆｉｒｓｔ  Ｏｕｔのバッファで、Ａｒｂｉｔｅｒ１０２からのリードコマンドによりＳＤＲＡＭ１０１から出力される１６ｂｉｔ幅のバーストデータを受け取るものである。また、ＯＳＤ表示制御部１０４からのＦＩＦＯ１０４からのデータ読み出しのアドレスとイネーブル信号を受けて、８ｂｉｔ幅のデータに分けて出力し、描画データ入力部として１０４へ入力する。
【００２９】
１０４はＯＳＤ表示制御部で、Ａｒｂｉｔｅｒ１０２を介してＳＤＲＡＭへのデータリード要求を出す。すると、表示制御部は、ＦＩＦＯ１０３へのアドレスとＥｎａｂｌｅ信号とを表示タイミングに合わせて出力して、ＳＤＲＡＭ１０１から読み出されてＦＩＦＯ１０３に溜まったＯＳＤデータを取得する。
【００３０】
１０５はＯＳＤデータセレクタで、多重化されているＯＳＤデータを８ｂｉｔから４ｂｉｔに分解し表示画素の位相（ピクセル）に合わせる。通常、図１中の選択信号Ｓｅｌｅｃｔｏｒ１は、ＯＳＤ表示クロックで反転する信号で、セレクタ１０５に含まれるフリップフロップにより、８ｂｉｔに多重化されたＯＳＤデータを４ｂｉｔに戻す。
【００３１】
１０６は、複数の色変換情報がグループ化されているＣＬＵＴ（Ｃｏｌｏｒ  Ｌｏｏｋ  Ｕｐ  Ｔａｂｌｅ）のグループである。ここではＣＬＵＴＡ〜ＣＬＵＴＤの４個のグループがあり、夫々のＣＬＵＴグループ内には、色変換情報として図２に示すような１６ｂｉｔ、１６個の重畳制御（Ａｔｔｒｉｂｕｔｅ）を含む色変換テーブルが含まれている。
【００３２】
１０７はＣＬＵＴ出力セレクタで、ＣＬＵＴＡ〜ＣＬＵＴＤ  １０６の４個のグループの内、後述の座標指定によって指定された表示画面の領域に対してどのグループのＣＬＵＴ出力をＯＳＤ描画データとしてＯＳＤミックス部１０８へ渡すかを、後述する選択信号（図１中、Ｓｅｌｅｃｔｏｒ２信号）により選択する。
【００３３】
１０８は合成処理部としてのＯＳＤミックス処理部で、主映像とＣＬＵＴ出力セレクタ１０７で選択されたＯＳＤ描画データを色変換情報に含まれるＡｔｔｒｉｂｕｔｅ情報に従って、重畳処理あるいは、ミックス処理をして出力する。こうして、ＯＳＤ描画データが合成された画像がモニタに表示される。
【００３４】
１０９は、画像入力部として、例えば、撮像系から出力された撮像データや記録媒体から読み出された映像データをＯＳＤ表示制御部に入力する。
【００３５】
１１０は、表示画面の座標を任意に指定可能な座標指定部である。座標指定部よりＣＬＵＴセレクタ１０７へ入力された任意の座標によって、表示画面が水平／垂直ラインで区切られ、領域が分割される。座標の指定方法は、後述の実施例で説明する。
【００３６】
本発明の特徴を表す図１のＯＳＤ描画ブロックにおいて、従来例の図３と大きく異なる点は、複数のＣＬＵＴグループ１０６を持つことである。もう１つ異なる点は、この複数ＣＬＵＴの内、１つのＣＬＵＴグループの出力を選択するための出力セレクタ１０７を備える点である。更に、出力セレクタ１０７を切り替える選択信号Ｓｅｌｅｃｔｏｒ２信号）を、表示画面のＯＳＤ表示領域により制御する点が大きな特徴となっている。
【００３７】
図５に、ＣＬＵＴグループを切り替える領域を水平方向ｘ、垂直方向ｙとして、有効映像範囲をフィールド単位で考えて（ｘ，ｙ）＝（０，０）〜（７１９，２３９）とし、この範囲内で座標指定部１１０によって１つの座標を指定することで、その座標を通る垂直または水平線の組み合わせでＣＬＵＴグループを切り替える領域を区切る複数の例を示している。
【００３８】
５−１は、指定した座標が（ｘ，ｙ）＝（０，０）であり、従来と同じ、即ちＣＬＵＴが１つのグループの時と同一の表示となるイメージを表している。
【００３９】
５−２は、指定した座標が（ｘ，ｙ）＝（２６９，１３９）であり、この座標を通る垂直ラインと水平ラインで分割される４個の領域に対して、それぞれ、ＣＬＵＴＡ〜ＣＬＵＴＤを割り当てる。これにより、水平ライン方向で映像表示及びＯＳＤ合成（重畳／ミックス）処理を行う事を考えると以下のように、
０≦ｘ≦２６９      かつ  ０≦ｙ≦１３９      の時は、ＣＬＵＴＤ、
２７０≦ｘ≦７１９  かつ  ０≦ｙ≦１３９      の時は、ＣＬＵＴＢ、
０≦ｘ≦２６９      かつ  １４０≦ｙ≦２３９  の時は、ＣＬＵＴＣ、
２７０≦ｘ≦７１９  かつ  １４０≦ｙ≦２３９  の時は、ＣＬＵＴＡ
の色変換情報グループを用いる様に、図１の選択信号（図１中、Ｓｅｌｅｃｔｏｒ２信号）を制御し、ＣＬＵＴ出力セレクタ１０７を切り替える。
【００４０】
５−３は、指定した座標が（ｘ，ｙ）＝（２６９，０）であり、この座標を通る垂直ラインにより、左右２つの領域に分割し、それぞれＣＬＵＴＡとＣＬＵＴＣのグループが割り当てられるイメージを表している。
【００４１】
ｘ＝２６９を境として、
０≦ｘ≦２６９      の時は、ＣＬＵＴＣ、
２７０≦ｘ≦７１９  の時は、ＣＬＵＴＡ、
の色変換情報グループを用いるように、図１の選択信号（図１中、Ｓｅｌｅｃｔｏｒ２信号）を制御し、ＣＬＵＴ出力セレクタ１０７を切り替える。
【００４２】
５−４は、指定した座標が（ｘ，ｙ）＝（２６９，２３９）であり、この座標を通る垂直ラインにより、左右２つの領域に分割し、それぞれＣＬＵＴＢとＣＬＵＴＤのグループが割り当てられるイメージを表している。
【００４３】
上記と同様に、ｘ＝２６９を境として、
０≦ｘ≦２６９      の時は、ＣＬＵＴＤ、
２７０≦ｘ≦７１９  の時は、ＣＬＵＴＢ、
の色変換情報グループを用いるように、図１の選択信号（図１中、Ｓｅｌｅｃｔｏｒ２信号）を制御し、ＣＬＵＴ出力セレクタ１０７を切り替える。
【００４４】
５−５は、指定した座標が（ｘ，ｙ）＝（０，１３９）であり、この座標を通る水平ラインにより、上下２つの領域に分割し、それぞれＣＬＵＴＡとＣＬＵＴＢのグループが割り当てられるイメージを表している。
【００４５】
ｙ＝２６９を境として、
０≦ｙ≦１３９      の時は、ＣＬＵＴＢ、
１４０≦ｙ≦２３９  の時は、ＣＬＵＴＡ、
の色変換情報グループを用いるように、図１の選択信号（図１中、Ｓｅｌｅｃｔｏｒ２信号）を制御し、ＣＬＵＴ出力セレクタ１０７を切り替える。
【００４６】
５−６は、指定した座標が（ｘ，ｙ）＝（７１９，１３９）であり、この座標を通る水平ラインにより、上下２つの領域に分割し、それぞれＣＬＵＴＣとＣＬＵＴＡのグループが割り当てられるイメージを表している。
【００４７】
上記と同様に、ｙ＝２６９を境として、
０≦ｙ≦１３９      の時は、ＣＬＵＴＤ、
１４０≦ｙ≦２３９  の時は、ＣＬＵＴＣ、
の色変換情報グループを用いるように、図１の選択信号（図１中、Ｓｅｌｅｃｔｏｒ２信号）を制御し、ＣＬＵＴ出力セレクタ１０７を切り替える。
【００４８】
このように、１つの座標を指定することで、その座標を通る垂直または水平線の組み合わせでＣＬＵＴグループを切り替える領域を区切っている。
【００４９】
以上より、本発明の画像表示装置を有するデジタルビデオカメラによれば、ＥＶＦや液晶表示パネル、テレビモニタなどに対する表示／出力に対して、主映像にＯＳＤを重畳／ミックスして表示する際に、従来と同一のＯＳＤデータであっても、そのデータが示す色変換情報（ＣＬＵＴ）のグループを、画面内の任意の表示領域で切り替えることにより、画面内での表示色数を実質的に増加させる事が可能となる。これにより、ＯＳＤの描画データそのものの情報量を増やしたり、ＯＳＤ描画データのメモリからの転送量等を増やしたりすることなく、同一画面内の表示色を増加させる事が実現できる。また、表示色数が増えることにより、高精細なＯＳＤデータを表示することが可能となる。
【００５０】
＜実施例２＞
以下に本発明の、画像表示装置における第２の実施例について図面を参照しながら説明する。実施例２で実施例１と異なる点は、ＣＬＵＴグループの切り替え／適用領域を決める座標指定の方法及び、指定した座標に対応するＣＬＵＴグループの切り替え／適用手法に関する部分である。
【００５１】
図６に、ＣＬＵＴグループを切り替える領域を水平方向ｘ、垂直方向ｙとして、フィールドで考えた有効映像範囲を（ｘ，ｙ）＝（０，０）〜（７１９，２３９）とし、座標指定部１１０によってこの範囲内および、座標指定として負の値即ち、（ｘ，ｙ）＝（−７１９，−２３９）〜（７１９，２３９）の範囲内で１つの座標を指定可能とする。
【００５２】
ここで、指定した座標が正の値の時には実施例１と同様の制御であるが、負の値を取った時には、ＣＬＵＴグループの適用領域が入れ替わることが大きな特徴となっている。これは、任意のレジスタ設定による座標指定を考えた場合に、レジスタに設定する値をｕｎｓｉｇｎｅｄではなく、ｓｉｇｎｅｄで制御することで容易に実現するためである。
【００５３】
上記指定した座標を通る垂直または水平線の組み合わせでＣＬＵＴグループを切り替える領域を区切る複数の例が考えられるが、その中でも座標が正の値をとった時は、実施例１の図５で示したような制御となるので、ここでは、指定した座標が負の値の時の例を示し、以下に図６の説明を行う。
【００５４】
６−１は、座標を指定する時のレジスタにおいて、ｘ座標を指定するレジスタをＲｅｇＸ、ｙ座標を指定するレジスタをＲｅｇＹとすると、ｘ座標は−７１９〜＋７１９までの値を取るので、ｓｉｇｎｅｄ  １１ｂｉｔ、ｙ座標は−２３９〜＋２３９までの値を取るので、ｓｉｇｎｅｄ  １０ｂｉｔで表現できる。ここで、
ＲｅｇＸ＝０ｘ１０ｄ（ｓｉｇｎｅｄ  １１ｂｉｔで考えて１０進に直すと２６９）
ＲｅｇＹ＝０ｘ０００（ｓｉｇｎｅｄ  １０ｉｔで考えて１０進に直すと０）
とすると、上記レジスタで指定した座標は（ｘ，ｙ）＝（２６９，０）となり、この座標を通る垂直ラインにより、左右２つの領域に分割し、それぞれＣＬＵＴＣとＣＬＵＴＡのグループが割り当てられるイメージを表している。
【００５５】
ｘ＝２６９を境として、
０≦ｘ≦２６９      の時は、ＣＬＵＴＣ、
２７０≦ｘ≦７１９  の時は、ＣＬＵＴＡ、
の色変換情報グループを用いるように、図１の選択信号（図１中、Ｓｅｌｅｃｔｏｒ２信号）を制御し、ＣＬＵＴ出力セレクタ１０７を切り替える。これは、実施例１の図５の〔５−３〕と同じである。
【００５６】
６−２は、座標を指定する時のレジスタにおいて、
ＲｅｇＸ＝０ｘ６ｆ３（ｓｉｇｎｅｄ  １１ｂｉｔで考えて１０進に直すと−２６９）
ＲｅｇＹ＝０ｘ０００（ｓｉｇｎｅｄ  １０ｂｉｔで考えて１０進に直すと０）
とすると、上記レジスタで指定した座標は（ｘ，ｙ）＝（−２６９，０）であるが、表示画面における座標に負の値はないので、実際の指定座標としては、〔６−１〕と同様に（ｘ，ｙ）＝（２６９，０）とし、この座標を通る垂直ラインにより、左右２つの領域に分割する。但し、分割した領域に割り当てるＣＬＵＴグループは、〔６−１〕とは入れ替わり、それぞれＣＬＵＴＡとＣＬＵＴＣのグループが割り当てられるイメージを表している。
【００５７】
ｘ＝２６９を境として、
０≦ｘ≦２６９      の時は、ＣＬＵＴＡ、
２７０≦ｘ≦７１９  の時は、ＣＬＵＴＣ、
の色変換情報グループを用いるように、図１の選択信号（図１中、Ｓｅｌｅｃｔｏｒ２信号）を制御し、ＣＬＵＴ出力セレクタ１０７を切り替える。
【００５８】
６−３は、座標を指定する時のレジスタにおいて、
ＲｅｇＸ＝０ｘ１０ｄ（ｓｉｇｎｅｄ  １１ｂｉｔで考えて１０進に直すと２６９）
ＲｅｇＹ＝０ｘ０８ｂ（ｓｉｇｎｅｄ  １０ｂｉｔで考えて１０進に直すと１３９）とすると、上記レジスタで指定した座標は（ｘ，ｙ）＝（２６９，１３９）となり、この座標を通る垂直ラインと水平ラインで分割される４個の領域に対して、それぞれ、ＣＬＵＴＡ〜ＣＬＵＴＤを割り当てる。これにより、水平ライン方向で映像表示及びＯＳＤ重畳・ミックス処理を行うことを考えると以下のように、
０≦ｘ≦２６９      かつ  ０≦ｙ≦１３９      の時は、ＣＬＵＴＤ、
２７０≦ｘ≦７１９  かつ  ０≦ｙ≦１３９      の時は、ＣＬＵＴＢ、
０≦ｘ≦２６９      かつ  １４０≦ｙ≦２３９  の時は、ＣＬＵＴＣ、
２７０≦ｘ≦７１９  かつ  １４０≦ｙ≦２３９  の時は、ＣＬＵＴＡ
の色変換情報グループを用いるように、図１の選択信号（図１中、Ｓｅｌｅｃｔｏｒ２信号）を制御し、ＣＬＵＴ出力セレクタ１０７を切り替える。これは、実施例１の図５の〔５−３〕と同じである。
【００５９】
６−４は、座標を指定する時のレジスタにおいて、
ＲｅｇＸ＝０ｘ６ｆ３（ｓｉｇｎｅｄ  １１ｂｉｔで考えて１０進に直すと−２６９）
ＲｅｇＹ＝０ｘ３７５（ｓｉｇｎｅｄ  １０ｂｉｔで考えて１０進に直すと−１３９）
とすると、上記レジスタで指定した座標は（ｘ，ｙ）＝（−２６９，−１３９）であるが、表示画面における座標に負の値はないので、実際の指定座標としては、〔６−３〕と同様に（ｘ，ｙ）＝（２６９，１３９）とし、この座標を通る垂直ラインと水平ラインで分割される４個の領域に分割する。
【００６０】
それぞれ、ＣＬＵＴＡ〜ＣＬＵＴＤを割り当てる。これにより、但し、分割した領域に割り当てるＣＬＵＴグループは、〔６−３〕とは水平方向、垂直方向共に入れ替わり、水平ライン方向で映像表示及びＯＳＤ重畳・ミックス処理を行う事を考えると以下のように、
０≦ｘ≦２６９      かつ  ０≦ｙ≦１３９      の時は、ＣＬＵＴＡ、
２７０≦ｘ≦７１９  かつ  ０≦ｙ≦１３９      の時は、ＣＬＵＴＣ、
０≦ｘ≦２６９      かつ  １４０≦ｙ≦２３９  の時は、ＣＬＵＴＢ、
２７０≦ｘ≦７１９  かつ  １４０≦ｙ≦２３９  の時は、ＣＬＵＴＤ
の色変換情報グループを用いるように、図１の選択信号（図１中、Ｓｅｌｅｃｔｏｒ２信号）を制御し、ＣＬＵＴ出力セレクタ１０７を切り替える。
【００６１】
このように、１つの座標を指定することで、その座標を通る垂直または水平線の組み合わせでＣＬＵＴグループを切り替える領域を区切り、かつ、負の座標地を指定することで、色変換情報グループの入れ換え制御を行う。
【００６２】
以上より、第２の実施例における本発明の画像表示装置を有するデジタルビデオカメラによれば、実施例１同様に、ＥＶＦや液晶表示パネル、テレビモニタなどに対する表示／出力に対して、主映像にＯＳＤを重畳して表示する際に、従来と同一のＯＳＤデータであっても、そのデータが示す色変換情報（ＣＬＵＴ）のグループを、画面内の任意の表示領域で切り替えることにより、画面内での表示色数を実質的に増加させる事が可能となる。これにより、ＯＳＤデータそのもの情報量を増やしたり、ＯＳＤデータのメモリからの転送量等を増やしたりすることなく、同一画面内の表示色を増加させる事が実現できる。また、同時に、座標を指定する座標値に負の値を指定することで、色変換情報グループ（ＣＬＵＴグループ）の対応領域の入れ換えを、容易に制御可能となり、一層多様なＯＳＤの表示制御が複雑な回路構成や、制御を行わずに実現できる。
【００６３】
＜実施例３＞
以下に画像表示装置における第３の実施例について図面を参照しながら説明する。実施例３で実施例１、実施例２と異なる点は、ＣＬＵＴグループの切り替え／適用領域を決める座標指定の方法である。
【００６４】
実施例１、実施例２では、指定する座標を１点とし、少ない制御で、従来制御に対して大きな付加価値を生み出す手法を実現したものである。これに対して、実施例３では、更に細かい制御や、多様なＯＳＤ表示に対応するために、指定する座標を１点から、２点にした例を図７に示す。
【００６５】
図７に、ＣＬＵＴグループを切り替える領域を水平方向ｘ、垂直方向ｙとして、実施例１の図５の場合と同様、フィールドで考えた有効映像範囲を（ｘ，ｙ）＝（０，０）〜（７１９，２３９）とし、座標指定部１１０によってこの範囲内で２つの座標を指定することで、それぞれの座標を通る垂直または水平線の組み合わせでＣＬＵＴグループを切り替える領域を区切る複数の例を示している。
【００６６】
７−１は、指定した座標が（ｘ１，ｙ１）＝（１７９，５９）、（ｘ２，ｙ２）＝（５３９，１７９）であり、この２つの座標をそれぞれ通る垂直ラインと水平ラインで分割される９個の領域に対して、それぞれ、ＣＬＵＴＡ〜ＣＬＵＴＩを割り当てる。これにより、水平ライン方向で映像表示及びＯＳＤ重畳・ミックス処理を行う事を考えると以下のように、
０≦ｘ≦１７９      かつ  ０≦ｙ≦５９        の時は、ＣＬＵＴＩ、
１８０≦ｘ≦５３９  かつ  ０≦ｙ≦５９        の時は、ＣＬＵＴＨ、
５４０≦ｘ≦７１９  かつ  ０≦ｙ≦５９        の時は、ＣＬＵＴＧ、
０≦ｘ≦１７９      かつ  ６０≦ｙ≦１７９    の時は、ＣＬＵＴＦ、
１８０≦ｘ≦５３９  かつ  ６０≦ｙ≦１７９    の時は、ＣＬＵＴＤ、
５４０≦ｘ≦７１９  かつ  ６０≦ｙ≦１７９    の時は、ＣＬＵＴＢ、
０≦ｘ≦１７９      かつ  １８０≦ｙ≦２３９  の時は、ＣＬＵＴＥ、
１８０≦ｘ≦５３９  かつ  １８０≦ｙ≦２３９  の時は、ＣＬＵＴＣ、
５４０≦ｘ≦７１９  かつ  １８０≦ｙ≦２３９  の時は、ＣＬＵＴＡ、の色変換情報グループを用いる様に、図１の選択信号（図１中、Ｓｅｌｅｃｔｏｒ２信号）を制御し、ＣＬＵＴ出力セレクタ１０７を切り替える。
【００６７】
７−２も、〔７−１〕と同じ２つの座標を指定したケースであるが、ＣＬＵＴグループを割り当てる領域の分割方法に違いがある。ここでは、９個の領域に分けるのではなく、２この座標を対角とする矩形領域とその周辺領域の２この領域に分割している。制御的には、以下のようになる。
【００６８】
０≦ｙ≦５９                                  の時は、ＣＬＵＴＡ、
０≦ｘ≦１７９      かつ  ６０≦ｙ≦１７９    の時は、ＣＬＵＴＡ、
１８０≦ｘ≦７１９  かつ  ６０≦ｙ≦１７９    の時は、ＣＬＵＴＡ、
１８０≦ｘ≦５３９  かつ  ６０≦ｙ≦１７９    の時は、ＣＬＵＴＤ、
１８０≦ｙ≦２３９                            の時は、ＣＬＵＴＡ、
の色変換情報グループを用いるように、図１の選択信号（図１中、Ｓｅｌｅｃｔｏｒ２信号）を制御し、ＣＬＵＴ出力セレクタ１０７を切り替える。
【００６９】
７−４〜７−５についても、同様の考え方であるので詳しくは省略するが、２個の座標を指定し、その座標を通る垂直ラインまたは水平ラインを組み合わせてできる領域に分割し、ＣＬＵＴグループを割り当てるものである。
【００７０】
以上より、第３の実施例における本発明の画像表示装置を有するデジタルビデオカメラによれば、実施例１、実施例２同様に、ＥＶＦや液晶表示パネル、テレビモニタなどに対する表示／出力に対して、主映像にＯＳＤを重畳して表示する際に、従来と同一のＯＳＤデータであっても、そのデータが示す色変換情報（ＣＬＵＴ）のグループを、画面内の任意の表示領域で切り替えることにより、画面内での表示色数を実質的に増加させる事が可能となる。これにより、ＯＳＤデータそのもの情報量を増やしたり、ＯＳＤデータのメモリからの転送量等を増やしたりすることなく、同一画面内の表示色を増加させる事が実現できる。
【００７１】
＜実施例４＞
実施例４では、特定の座標を複数指定するのではなく、表示画面の領域の区分を座標の関数で指定する方法について図８を用いて説明する。ここでは、座標指定部１１０は、座標ではなく座標指定関数を入力する。８−１は、座標指定関数ｆ（ｘ）＝（３／４）＊ｘで表せる直線で、ＣＬＵＴグループを切り替える領域を２個に分割した例で、
ＯＳＤの重畳／ミックス座標の水平座標がｘの時に、
ｙ≦ｆ（ｘ）の時は  ＣＬＵＴＢ、
ｙ＞ｆ（ｘ）の時は  ＣＬＵＴＡ、
の色変換情報グループを用いる様に、図１の選択信号（図１中、Ｓｅｌｅｃｔｏｒ２信号）を制御し、ＣＬＵＴ出力セレクタ１０７を切り替える。
【００７２】
８−２は、関数ｆ（ｘ）＝−（３／４）＊ｘ＋２３９で表せる直線で、ＣＬＵＴグループを切り替える領域を２個に分割した例である。
【００７３】
８−３は、関数ｆ（ｘ）＝ｘで表せる直線で、ＣＬＵＴグループを切り替える領域を２個に分割した例である。
【００７４】
８−４は、関数ｆ（ｘ）＝（３／４）＊ｘ＋５９で表せる直線で、ＣＬＵＴグループを切り替える領域を２個に分割した例である。
【００７５】
このように、２つの座標を指定することで、それぞれの座標を通る垂直または水平線の組み合わせでＣＬＵＴグループを切り替える領域を区切った場合の代表例である。
【００７６】
ここの例では、座標指定として２個の座標を指定し、矩形領域で、色変換情報グループを適用する領域を分割したが、特に、矩形領域でなくても構わない。また、関数による分割においても、直線関数の例を示したが、こちらも同様に、直線関数に限定するものではない。
【００７７】
このように、実施例１から４に述べたように、主映像にＯＳＤを重畳して表示する際に、同一のＯＳＤデータであっても、そのＯＳＤデータが示す色変換情報（ＣＬＵＴ）のグループを、画面内の任意の表示領域に応じて切り替えることにより、画面内での表示色数を実質的に増加させることが可能となる。これにより、ＯＳＤデータそのものの情報量やＯＳＤデータのメモリからの転送量等を増やしたりすることなく、同一画面内の表示色を増加させることが出来る。
【００７８】
特に、映像表示部を備えるデジタルビデオカメラなどへ実装することによって、表示するＯＳＤ描画データの元データの情報量を増加させずに、ＯＳＤ表示における同一画面内での表示色数を見かけ上増加させることが可能となる。また、表示するＯＳＤ描画データの元データの情報量を増加させないため、メモリアクセスの帯域も増加させることがない。
【００７９】
これにより、例えば、従来のビットマップＯＳＤ描画データそのものやメモリへのアクセス形態を変えることなく、機器動作の設定メニューを始めとするテキスト情報や各種アイコン表示などに用いるＯＳＤの色数を容易に増やすことができる。これによって、表示部の視認性やデザイン性の向上が可能となる。また、ここまで４つの実施例をあげて、本特許の内容を説明してきたが、特にデジタルビデオカメラに限定されるものではなく、適用の範囲は広くＯＳＤ表示機能を備えた表示装置に対して応用可能である。例えば、テレビ受像器、デジタルカメラ、携帯端末等の画像表示装置を有する機器に適用しても良い。また、ＯＳＤではなく、スーパインポーズ等の合成処理にも応用可能である。
【００８０】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００８１】
この場合、記憶媒体から読み出されたプログラムコード自体が上述した実施形態の機能を実現することになり、プログラムコード自体及びそのプログラムコードを記憶した記憶媒体は本発明を構成することになる。
【００８２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８３】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００８４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００８５】
【図１】実施例１における、ＯＳＤ描画ブロック図である。
【図２】従来および実施例１における、ＣＬＵＴ（Ｃｏｌｏｒ  Ｌｏｏｋ  Ｕｐ  Ｔａｂｌｅ）表である。
【図３】従来のＯＳＤ描画ブロック図である。
【図４】実施例１における、デジタルビデオカメラのブロック図である。
【図５】実施例１におけるＯＳＤ表示用の色変換情報グループを適用する領域を示したイメージ図である。
【図６】実施例２におけるＯＳＤ表示用の色変換情報グループを適用する領域を示したイメージ図ある。
【図７】実施例３におけるＯＳＤ表示用の色変換情報グループを適用する領域を示したイメージ図である。
【図８】実施例４におけるＯＳＤ表示用の色変換情報グループを適用する領域を示したイメージ図で、座標関数ｆ（ｘ）を指定することで、ＣＬＵＴグループを切り替える領域を区切った場合の代表例である。
【符号の説明】
【００８６】
１０１  ＳＤＲＡＭ
１０２  Ａｒｂｉｔｅｒ
１０３  ＦＩＦＯ
１０４  ＯＳＤ表示制御部
１０５  ＯＳＤデータセレクタ
１０６  複数のＣＬＵＴグループ（Ａ，Ｂ，Ｃ，Ｄ）
１０７  ＣＬＵＴ出力セレクタ
１０８  ＯＳＤミックス処理部
１０９  画像データ入力部
１１０  座標指定部
【図１】
2007183347.tif 000003
【図２】
2007183347.tif 000004
【図３】
2007183347.tif 000005
【図４】
2007183347.tif 000006
【図５】
2007183347.tif 000007
【図６】
2007183347.tif 000008
【図７】
2007183347.tif 000009
【図８】
2007183347.tif 000010